(57)【要約】【課題】  景品交換所で必要となる金額を遊技施設の状況に応じて算出できるようにした現金準備支援装置およびシステムおよび方法を提供する。【解決手段】  貸出処理機１０２により貸出状態にあるパチンコ玉またはメダル、景品管理装置１０５での処理の前後の状態におけるパチンコ玉またはメダルの数と景品買取時に必要となる金額を算出する。算出した金額に対して用意する金額を貨幣ごとに設定した係数に基づき算出する。算出した貨幣ごとの枚数、金額と景品買取機１２１に残された貨幣ごとの枚数とを比べることにより過不足枚数を算出する。【選択図】図１
2007082721.tif 000002
【特許請求の範囲】
【請求項１】
遊技施設における遊技媒体を用いた遊技機の遊技により獲得した特殊景品の買い取りに要する現金の準備を支援する現金準備支援装置において、
前記遊技施設に設けられ、該遊技施設内の遊技機の遊技の状態に関する情報を管理するホール内データ管理装置と通信して該遊技の状態に関する情報を所定の時間毎に収集する情報収集手段と、
前記情報収集手段で収集した前記遊技の状態に関する情報に基づき前記特殊景品の買い取りに要する現金の額を推定する推定手段と
を具備することを特徴とする現金準備支援装置。
【請求項２】
前記情報収集手段で収集する前記遊技の状態に関する情報は、
前記遊技施設内の遊技機の遊技により獲得した各遊技者が保有している遊技媒体の数量、前記特殊景品への交換のために各遊技者が記録媒体に変換した遊技媒体の数量、各遊技者が前記記録媒体に基づき特殊景品に交換した遊技媒体の数量の情報を含む
ことを特徴とする請求項１記載の現金準備支援装置。
【請求項３】
前記推定手段は、
各金種に対する必要枚数の係数を設定する設定手段と、
前記設定手段で設定した必要枚数の係数と前記推定した現金の額に基づき金種毎の必要枚数を算出する金種枚数算出手段と
を具備することを特徴とする請求項１または２記載の現金準備支援装置。
【請求項４】
前記特殊景品の買い取りを行う景品買取機と通信して該景品買取機に準備されている残現金の情報を取得する取得手段と、
前記取得手段で取得した残現金の情報と前記推定手段で推定した前記現金の額とを比較して前記景品買取機の準備現金の過不足情報を算出する過不足情報算出手段と、
前記過不足情報算出手段で算出した前記過不足情報を外部へ出力する出力手段と
を具備することを特徴とする請求項１乃至３のいずれかに記載の現金準備支援装置。
【請求項５】
前記出力手段は、
前記過不足情報算出手段で算出した前記過不足情報を前記景品買取機に通知する
ことを特徴とする請求項４記載の現金準備支援装置。
【請求項６】
複数の遊技施設にそれぞれ設けられ、該遊技施設内の遊技機の遊技の状態に関する情報を管理するホール内データ管理装置と、特殊景品の買い取りを行う景品買取機と、前記各ホール内データ管理装置と接続され、前記景品買取機における特殊景品の買い取りに要する現金の準備を支援する現金準備支援装置とを備えた現金準備支援システムにおいて、
前記現金準備支援装置は、
前記ホール内データ管理装置と通信して前記遊技の状態に関する情報を所定の時間毎に収集する情報収集手段と、
前記情報収集手段で収集した前記遊技の状態に関する情報に基づき前記特殊景品の買い取りに要する現金の額を推定する推定手段と
を具備することを特徴とする現金準備支援システム。
【請求項７】
遊技施設における遊技媒体を用いた遊技機の遊技により獲得した特殊景品の買い取りに要する現金の準備を支援する現金準備支援方法において、
前記遊技施設に設けられ、該遊技施設内の遊技機の遊技の状態に関する情報を管理するホール内データ管理装置と通信して該遊技の状態に関する情報を所定の時間毎に情報収集手段で収集し、
前記情報収集手段で収集した前記遊技の状態に関する情報に基づき前記特殊景品の買い取りに要する現金の額を推定する
ことを特徴とする現金準備支援方法。
【発明の詳細な説明】
【技術分野】
【０００１】
本発明は、遊技施設で受け取る特殊景品を買い取る現金を準備する現金準備支援装置およびシステムおよび方法に関し、特に、景品交換所での買い取りにかかる現金の効率のよい資金運用を行えるようにした現金準備支援装置およびシステムおよび方法に関する。
【背景技術】
【０００２】
一般に、パチンコ店などの遊技施設では、遊技機であるパチンコ台を利用して獲得したパチンコ玉の出玉数に応じた価値の特殊景品を受け取ることができる。この特殊景品は、パチンコ店に隣接する景品交換所で特殊景品に相当する対価の現金で買い取ることが可能である。景品交換所は、パチンコ店で受け取った特殊景品を遊技客からの買い取る際の対価として現金の支払いを行う。
【０００３】
この買い取りにかかる現金は、景品交換所があらかじめ用意しておく必要がある。
【０００４】
しかしながら、通常、パチンコ店と景品交換所は繋がっていないため双方間での情報のやり取りは行われない。すなわち、景品交換所は独自の判断で必要となる現金の金額を予測して準備する必要がある。
【０００５】
このような場合、準備していた金額よりもさらに多くの現金が必要になったり、反対に過剰な現金が特殊景品を買い取られずに残ってしまうことがある。これは、景品交換所を運営するにあたって効率のよい運用を妨げるだけでなく、必要以上に大量の現金を保管することになり防犯上、好ましくない状態に陥ってしまうという問題がある。
【０００６】
パチンコ店のホール内に設けられた各機器のデータを定期的に収集してリアルタイムで売上情報を管理できるようにした従来技術として、特許文献１に開示されたものである。
【０００７】
この特許文献１に開示された従来技術においては、パチンコ店に設けられたパチンコ台またはスロットマシンの払い出し済み玉数（メダル数）を管理することによって景品買取に必要な金額を把握できるようにしている。
【特許文献１】特開平０９−１４０８９３
【発明の開示】
【発明が解決しようとする課題】
【０００８】
しかしながら、特許文献１に示された従来技術においては、パチンコ店での売上金額の管理をリアルタイムで行うことができ、さらに、両替機、玉貸機及び券売機からの現金の回収や、両替機への両替金の補給や券売機へのカードの補給にかかる異常発生についても迅速に対応できるようにしているが、パチンコ店のみでパチンコ店が必要とする情報のみを管理しているため、景品交換所では、パチンコ店の売上に対する買い取り金額を把握することができないという問題がある。
【０００９】
また、図７に示すような一般的な遊技システムにおける特殊景品の管理システムでは、景品交換所とパチンコ店が接続されておらず、接続した場合であってもパチンコ店全体を管理するホールコンピュータによってパチンコ台の稼動状況や遊技客の持ち玉数（メダル数）を把握することしかできないためその準備する金額と実際の交換された金額に大きな過不足が生じてしまうという問題がある。
【００１０】
そこで、本発明は、景品交換所で必要となる金額を遊技施設の状況に応じて算出できるようにした現金準備支援装置およびシステムおよび方法を提供することを目的とする。
【課題を解決するための手段】
【００１１】
上記目的を達成するため、請求項１の発明は、遊技施設における遊技媒体を用いた遊技機の遊技により獲得した特殊景品の買い取りに要する現金の準備を支援する現金準備支援装置において、前記遊技施設に設けられ、該遊技施設内の遊技機の遊技の状態に関する情報を管理するホール内データ管理装置と通信して該遊技の状態に関する情報を所定の時間毎に収集する情報収集手段と、前記情報収集手段で収集した前記遊技の状態に関する情報に基づき前記特殊景品の買い取りに要する現金の額を推定する推定手段とを具備することを特徴とする。
【００１２】
また、請求項２の発明は、請求項１の発明において、前記情報収集手段で収集する前記遊技の状態に関する情報は、前記遊技施設内の遊技機の遊技により獲得した各遊技者が保有している遊技媒体の数量、前記特殊景品への交換のために各遊技者が記録媒体に変換した遊技媒体の数量、各遊技者が前記記録媒体に基づき特殊景品に交換した遊技媒体の数量の情報を含むことを特徴とする。
【００１３】
また、請求項３の発明は、請求項１または２の発明において、前記推定手段は、各金種に対する必要枚数の係数を設定する設定手段と、前記設定手段で設定した必要枚数の係数と前記推定した現金の額に基づき金種毎の必要枚数を算出する金種枚数算出手段とを具備することを特徴とする。
【００１４】
また、請求項４の発明は、請求項１乃至３のいずれかの発明において、前記特殊景品の買い取りを行う景品買取機と通信して該景品買取機に準備されている残現金の情報を取得する取得手段と、前記取得手段で取得した残現金の情報と前記推定手段で推定した前記現金の額とを比較して前記景品買取機の準備現金の過不足情報を算出する過不足情報算出手段と、前記過不足情報算出手段で算出した前記過不足情報を外部へ出力する出力手段とを具備することを特徴とする。
【００１５】
また、請求項５の発明は、請求項４記載の発明において、前記出力手段は、前記過不足情報算出手段で算出した前記過不足情報を前記景品買取機に通知することを特徴とする。
【００１６】
また、請求項６の発明は、複数の遊技施設にそれぞれ設けられ、該遊技施設内の遊技機の遊技の状態に関する情報を管理するホール内データ管理装置と、特殊景品の買い取りを行う景品買取機と、前記各ホール内データ管理装置と接続され、前記景品買取機における特殊景品の買い取りに要する現金の準備を支援する現金準備支援装置とを備えた現金準備支援システムにおいて、前記現金準備支援装置は、前記ホール内データ管理装置と通信して前記遊技の状態に関する情報を所定の時間毎に収集する情報収集手段と、前記情報収集手段で収集した前記遊技の状態に関する情報に基づき前記特殊景品の買い取りに要する現金の額を推定する推定手段とを具備することを特徴とする。
【００１７】
また、請求項７の発明は、遊技施設における遊技媒体を用いた遊技機の遊技により獲得した特殊景品の買い取りに要する現金の準備を支援する現金準備支援方法において、前記遊技施設に設けられ、該遊技施設内の遊技機の遊技の状態に関する情報を管理するホール内データ管理装置と通信して該遊技の状態に関する情報を所定の時間毎に情報収集手段で収集し、前記情報収集手段で収集した前記遊技の状態に関する情報に基づき前記特殊景品の買い取りに要する現金の額を推定することを特徴とする。
【発明の効果】
【００１８】
本発明によれば、遊技施設内で景品買取に必要な金額を算出し、この金額に基づいて各貨幣に設定した係数から貨幣ごとの必要枚数と金額を算出する。これを景品交換所の景品買取機に残された各貨幣の枚数と比較することで過不足が生じた貨幣の枚数を算出して景品交換所、遊技施設に通知するような構成にしたので、景品交換所が準備するべき金額が貨幣ごとに算出することができるようになり、景品交換所での効率的な資金運用が可能となる効果を奏する。
【発明を実施するための最良の形態】
【００１９】
以下、本発明に係わる現金準備支援装置およびシステムおよび方法の一実施例を添付図面を参照して詳細に説明する。
【実施例】
【００２０】
図１は、この発明に係わる現金準備支援装置およびシステムおよび方法を適用して構成したシステム構成図である。
【００２１】
図１において、この現金準備支援システムは、遊技客に遊技を提供する遊技施設の遊技施設ネットワーク１００、複数の遊技施設ネットワーク１００を管理する外部センター１１０、遊技施設で獲得した特殊景品を買い取る景品交換所１２０から構成され、外部センター１１０には、管理装置である集中管理装置１１１、景品交換所１２０には、特殊景品を買い取る景品買取機１２１を具備して構成されている。
【００２２】
遊技施設ネットワーク１００、外部センター１１０、景品交換所１２０は、電話回線などの通信回線で接続されており、相互通信が可能である。
【００２３】
そして、遊技施設ネットワーク１００は、パチンコ店やスロット店など（以下、総称して「ホール」ともいう）の遊技を提供する施設のネットワークであり、パチンコ台１０１、貸出処理機１０２、島コントローラ１０３、計数機１０４、景品管理装置１０５、ホール内データ管理装置１０６、会員データ管理装置１０７、景品払出機１０８を具備して構成する。
【００２４】
本願発明の現金準備支援装置は、ホール内データ管理装置１０６、集中管理装置１１１、景品買取機１２１のいずれかによって実現される。
【００２５】
以下では、その一例として、ホール内データ管理装置１０６で実現する例を示す。
【００２６】
パチンコ台１０１は、ホールにおける遊技機の一例であって、パチンコ台に限られるものではなく、スロットマシンなどの遊技機を含む。
【００２７】
貸出処理機１０２は、パチンコ台１０１ごとに設置され、利用者により投入された現金またはパチンコ玉を借り受ける際の基準となる有価価値が価値付けられたカードに対してパチンコ遊技機を利用するためのパチンコ玉またはスロット遊技機を利用するためのメダルを貸し出す。このときの有価価値とは、「度数」と呼ばれるパチンコ玉の貸出し処理にかかる処理単位であって所定のレートで現金を「度数」単位にしてカードに価値付けたものである。
【００２８】
また、このとき取り扱うカードには、ホール会員として登録されている遊技客が保持する会員カードと、ホール会員として登録されていない一般の遊技客が保持する非会員カード（以下、「一般カード」という）がある。会員カードの場合、会員登録時に発行されており、会員登録されたデータは会員データ管理装置１０６によって管理されている。
【００２９】
島コントローラ１０３は、複数のパチンコ台１０１と貸出処理機１０２の組み合わせにより構成される「島」と呼ばれるグループごとに設置された中継装置である。
【００３０】
通信回線により接続されたホール内データ管理装置１０４や会員データ管理装置１０５などへデータ中継を行う。また、貸出処理機１０４でパチンコ玉やメダルを貸し出す際に利用者により投入された現金を搬送機構（図示無し）によって搬送することで専用の収納庫である島端の回収ボックスに保管する。
【００３１】
計数機１０４は、遊技客がパチンコ台１０１の利用によって獲得したパチンコ玉数の計数を行う装置であって、計数されたパチンコ玉数を記載した記録媒体であるレシートを発行する。このレシートには、獲得したパチンコ玉数のほかレシートを発行した遊技施設を識別できる項目、日付、時刻などが記されており、特に、パチンコ玉数の記載にあっては、バーコードによっても記載される。
【００３２】
このとき、計数されたパチンコ玉数をホール内データ管理装置１０６に対して通知する。
【００３３】
景品管理装置１０５は、パチンコ玉数に相当する特殊景品の引き換えを管理する装置であって、計数機１０４によって発行されたレシートに記載されたパチンコ玉数を読み取ることでそのパチンコ玉数に応じた特殊景品との引き換えを行う。このとき、特殊景品は、景品管理装置１０５に接続される景品払出機１０８から払い出される。
【００３４】
このときの特殊景品とは、計数されたパチンコ玉数に応じた金額が価値付けられた景品であって、その金額の登録にＩＣ（Integrated Circuit：集積回路）チップなどの記憶媒体を用いている。
【００３５】
遊技を終了することにより獲得したパチンコ玉を計数機１０４によって計数してレシートに変換し、景品管理装置１０５によりそのレシートを特殊景品との引き換える処理に関して、景品管理装置１０５による処理が行われる前の状態を「景品交換未処理」状態、景品管理装置１０５による処理が行われたのちの状態を「景品交換処理完」状態とした場合の各状態における特殊景品の買い取りに必要な金額を図２に示す。
【００３６】
ホール内データ管理装置１０６は、ホール内のネットワークに接続された各種装置で行われた処理のデータを管理する。また、外部センター１１０の集中管理装置１１１とのデータ通信を行い、景品交換所１２０の景品買取機１２１に必要な金額を推定する（算出する）。
【００３７】
ホール内データ管理装置１０６には、営業分析コンピュータ１１、売上データ管理コンピュータ１２が含まれ、営業分析コンピュータ１１は、ホール内での各種データの動きを管理するために図２〜図４に示すようなデータ一覧を作成してホール運営に関するデータをまとめる。このデータから遊技中にある遊技客の利用状況、利用金額を把握するとともに「景品交換未処理」状態や「景品交換処理完」状態の各状態にあるパチンコ玉またはメダル数、さらに払い戻し、交換に必要な金額の算出とともに、金種ごとに必要となる枚数を算出する。
【００３８】
このときの必要な金額の算出方法、金種ごとの必要な枚数の算出方法を以下の図２で説明する。
【００３９】
売上データ管理コンピュータ１２は、各貸出処理機１０２から通知される売上データを一元管理するコンピュータであって、島コントローラ１０３からの各貸出処理機１０２の売上データを取得する。このとき、島コントローラ１０３から取得するデータは、売上データのみならず現在遊技状態にあるパチンコ玉またはメダル数をも取得する。
【００４０】
会員データ管理装置１０７は、会員カードの発行に際してホール会員の会員データを登録、管理する。
【００４１】
景品払出機１０８は、景品管理装置１０５に接続され、景品管理装置１０５の指示により、レシートに記載されたパチンコ玉数に応じた特殊景品の払い出しを行う。
【００４２】
このような構成による本願発明の処理の流れを示す。
【００４３】
まず、遊技客が現金またはカードを貸出処理機１０２に投入することによりパチンコ玉の貸出を受けるとパチンコ台の利用が可能となり、遊技を開始する。遊技の終了時に獲得したパチンコ玉を計数機１０４にかけることにより獲得したパチンコ玉の玉数を計数する。計数されたパチンコ玉数は、計数機１０４が発行するレシートまたは記憶媒体に記載、記憶され、このレシートを景品管理装置１０５で読み取ることによりパチンコ玉数に相当する特殊景品と引き換える。
【００４４】
計数機１０４によって計数されたパチンコ玉の数、景品管理装置１０５で引き換えを行った特殊景品の金額とをホール内データ管理装置１０６に含まれる営業分析コンピュータ１１に通知してこの営業分析コンピュータ１１が図２〜図４に示すようなデータ一覧を作成することにより景品の買い取りに必要な金額を把握することができるようになる。
【００４５】
さらに、ホール内データ管理装置１０６で算出した買い取りに必要な金額を外部センター１１０の集中管理装置１１１に通知し、集中管理装置１１１が景品交換所１２０の景品買取機１２１から取得した景品買取機１２１に残された金額とから過不足金額と金種ごとの枚数を計算して景品買取機１２１に通知することで景品交換所１２０は買い取りに必要な金額を金種ごとに把握する。
【００４６】
なお、集中管理装置１１１を外部センター１１０に設けるような構成にしているが、集中管理装置１１１での処理をホール内データ管理装置１０６で行うような構成にしてもよい。また、集中管理装置１１１での処理を景品交換所１２０の景品買取機１２１で行うような構成にしてもよい。いずれの場合であっても、遊技施設ネットワーク１００と景品交換所１２０とが１対１で接続されることになる。
【００４７】
よって、景品買取機１２１で管理した現金の金額と必要となる金額とに差額が生じた場合であっても必要となる金種ごとに枚数と金額を算出することができる。
【００４８】
図２は、本願発明における現金準備支援システムの遊技施設内で管理されるデータの一覧を示した図である。
【００４９】
図２において、図２（ａ）は、各状態における情報が示された図であって、図２（ｂ）は、特殊景品の買い取りに必要な金額と金種ごとの必要な枚数を示す図である。
【００５０】
図２（ａ）のカラムの項目に[持ち玉数]２０１、[交換率]２０２、[必要金額]２０３、[人数]２０４が示され、レコードの項目に[パチンコ]２０５、[パチスロ]２０６、[遊技中換算]２０７、[景品交換未処理（パチンコ玉）]２０８、[景品交換未処理（メダル）]２０９、[景品交換処理完（パチンコ玉）]２１０、[景品交換処理完（メダル）]２１１、[総合計数]２１２が示されている。
【００５１】
まず、遊技客が遊技中であって貸出しを受けているパチンコ玉、メダルの数に相当する金額を示した項目（範囲Ａ（２０））について説明する。
【００５２】
[持ち玉数]２０１カラムに対する[パチンコ]２０５または[パチスロ]２０６の各レコードに示されたデータは、遊技客が現在使用しているパチンコ玉またはメダルの数を示しており、そのパチンコ玉数が「５００，０００個」であってメダル数が「３０，０００枚」であることが示されている。
【００５３】
[交換率]２０２のカラムは、所定金額に相当する特殊景品との交換可能な枚数を示しており、例えば、[パチンコ]２０５、[パチスロ]２０６のレコードに示された「２８．０」、「６．０」は、１００円相当の特殊景品と交換することが可能なパチンコ玉数またはメダル数を示している。すなわち、パチンコ台の利用により獲得したパチンコ玉数のうち、２８個を１００円相当の特殊景品と交換可能である。
【００５４】
[必要金額]２０３のカラムは、[持ち玉数]２０１、[交換率]２０２のカラムに示されたデータを「（[持ち玉数]／[交換率]）×１００」の計算式に当てはめて求められる買い取りに必要な金額である。[パチンコ]２０５、[パチスロ]２０６のレコードに示された[必要金額]２０３の金額は、現在貸し出されたパチンコ玉またはメダルを特殊景品に交換する際に必要となる金額を示しており、その金額の合計が[遊技中換算]２０７レコードの[必要金額]２０３カラムに記載された金額である。
【００５５】
[人数]２０４のカラムは、その状態にある遊技客の数を示しており、例えば、[パチンコ]２０５のレコードに示された人数は現在パチンコ台でパチンコ玉の貸出しを受けている人数であって[パチスロ]２０６のレコードに示された人数は現在スロットマシンでメダルの貸出しを受けている人数である。また、[遊技中換算]２０７レコードに記載された人数は、上記パチンコ台、スロットマシンでパチンコ玉、メダルの貸出しを受けている遊技客数を示した合計人数である。
【００５６】
次に、遊技客による遊技が終了し、獲得したパチンコ玉（またはメダル）の特殊景品への交換前後における金額を示した項目（範囲Ｂ（２１））について説明する。
【００５７】
[景品交換未処理（パチンコ玉）]２０８、[景品交換未処理（メダル）]２０９の各レコードには、遊技客がパチンコ台またはスロットマシンを用いた遊技を終了し、獲得したパチンコ玉数（またはメダル数）を計数機１０４によって計数した状態におけるデータが示されている。このとき遊技客は、計数したパチンコ玉またはメダル数が記載されたレシートの発行を受けた状態にある。
【００５８】
[景品交換未処理（パチンコ玉）]２０８、[景品交換未処理（メダル）]２０９の各レコードにおいて、[持ち玉数]２０１のカラムには計数機で計数したパチンコ玉数、メダル数が示されており、[交換率]２０２のカラムには範囲Ａ（２２０）の[交換率]と同じ交換率が示され、[必要金額]２０３が上記する必要金額を求める計算式に当てはめて算出した買い取りに必要な金額であり、[人数]２０４のカラムには計数機１０４で計数を行った人数が示されている。
【００５９】
続いて、[景品交換処理完（パチンコ玉）]２１０、[景品交換処理完（メダル）]２１１の各レコードには、計数機１０４による計数が行われた際に発行される獲得した玉数またはメダル数が記載されたレシートを景品管理装置１０５で読み込み、相当する金額の特殊景品に交換された状態にあるデータが示されている。このとき遊技客は、交換された特殊景品を保持した状態にある。
【００６０】
景品管理装置１０５によって交換された特殊景品の金額が把握することができるため、その金額が[必要金額]２０３のカラムに直接、入力された状態になる。また、[人数]２０４のカラムでは特殊景品に交換した人数が示されている。
【００６１】
以上に示す範囲Ａ（２２０）と範囲Ｂ（２３０）に示された必要金額と人数の合計が[総合計数]２１２に記載されており、[必要金額]２０３のカラムでは、[遊技中換算]２０７のレコードに示された必要金額と、[景品交換未処理（パチンコ玉）]２０８、[景品交換未処理（メダル）]２０９、[景品交換処理完（パチンコ玉）]２１０、[景品交換処理完（メダル）]２１１の各レコードに示された必要金額との合計金額が景品交換所１２０として準備する必要がある金額として示されている。すなわち、景品交換所１２０では、２７１万１９０５円が必要である。
【００６２】
また、[人数]２０４のカラムにおいても合計人数が示されており、この[人数]２０４に示された人数で合計金額を割ると、特殊景品を買い取る人、一人あたりの買い取り金額を算出することができ、本図の場合、２７１万１９０５円を１１５人で割るからおおよそ２万３５８２円と算出することができる。
【００６３】
図２（ｂ）では、金種ごとに必要となる枚数を示しており、カラムに各金種（[万券]２１３、[五千券]２１４、[二千券]２１５、[千券]２１６、[５００硬貨]２１７、[１００硬貨
]２１８）が示されており、また、レコードに[係数]２１９、[必要枚数]２２０、[必要金額]２２１、[総必要金額]２２２が示されている。
【００６４】
[必要枚数]２２０のレコードには、金種ごとに必要となる枚数が示されており、その枚数を「[係数]×合計人数」の計算式により算出する。[係数]は下記に示す方法で算出された金種ごとの[係数]２１９レコードに示す値であって、「合計人数」は、図２（ａ）の[総合計数]２１２レコードの[人数]２０４カラムに示された値（合計人数）である。
【００６５】
[必要金額]２２１のレコードには、金種ごとに必要な金額が示されおり、[必要枚数]２２０に示された枚数に金種一枚あたりの単価をかけることにより算出できる。
【００６６】
例えば、１００円硬貨の[必要金額]２２１は、[必要枚数]２２０が「２３０枚」であることから「２３０枚×１００円」で「２万３０００円」であると算出でき、５００円硬貨の[必要金額]２２１は、[必要枚数]２２０が「５８枚」であることから「５８枚×５００円」で「２万９０００円」となる。
【００６７】
[係数]２１９のレコードには、各紙幣に設定された係数が指定されており、その指定された係数は以下のように求められる。
【００６８】
１００円硬貨に設定される係数は、一回の買い取り時に支払われる枚数が最大４枚（４００円分）、最小０枚（０円分）であることからその平均支払い枚数は「２枚」であることから「２．０」とする。これは、１００円玉を５枚、必要とする金額の場合には５００円硬貨を用いることからその最大支払い枚数が４枚となることに帰属する。
【００６９】
このときの１００円硬貨の[必要枚数]２２０は、合計人数が１１５人であることから「２．０×１１５人」で「２３０枚」となり、[必要金額]２２１は、「２３０枚×１００円」で「２万３０００円」となる。
【００７０】
同様に、５００円硬貨に設定される係数は、一回に支払われる枚数が最大１枚（５００円分）であり最小０枚（０円分）であることから「０．５」となり、[必要枚数]２２０は、「０．５×１１５人」で「５８枚」であって[必要金額]２２１は、「５８枚×５００円」で「２万９０００円」となる。
【００７１】
また、千円札も１００円硬貨と同様、一回に支払われる枚数が最大４枚（４０００円分）であって最小０枚（０円分）であることから千円札を示す[千券]２１６の係数は「２．０」となり[必要枚数]２２０は、「２．０×１１５人」で「２３０枚」であって[必要金額]２２１は、「２３０枚×１０００円」で「２３万円」となる。
【００７２】
また、二千円札は利用しないという設定であるから係数を「０．０」とする。
【００７３】
さらに、五千円も５００円硬貨と同様、一回に支払われる枚数が最大１枚（５０００円分）であり最小０枚（０円分）であることから「０．５」となる。[必要枚数]２２０は、「０．５×１１５人」で「５８枚」となり、[必要金額]２２１は、「５８枚×５０００円」で「２９万円」となる。
【００７４】
そして、一万円札については最大高額紙幣であるためその枚数の最大枚数を求めることができないので[係数]を算出することができないが、一万円札の[必要金額]２２１から[必要枚数]２２０を算出する。このときの[必要金額]２２１は、図２（ａ）に示す必要金額の合計額「２７１万１９０５円」から上記、１００円硬貨から５千円紙幣までの[必要金額]２２１の合計金額を差し引いた金額である。
【００７５】
すなわち、１００円硬貨から５千円紙幣までの[必要金額]２２１の合計金額は、「２万３０００円＋２万９０００円＋２３万円＋０円＋２９万円」で「５７万２０００円」と求められるから差し引き金額は「２７１万１９０５円−５７万２０００円」で「２１３万９９０５円」である。この金額を支払うのに必要な一万円札は２１４枚（２１４万円分）と算出できる。
【００７６】
これによって、必要となる金額の合計は、[総必要金額]２２２に示す「２７１万１９０５円」であって、景品交換所１２０が新たに用意する必要がある金額は２１３万９９０５円であるが、一万円札が２１４枚であることから「２１４万円」を用意することになる。
【００７７】
以上のことから図１に示すシステム構成図で、外部センターの集中管理装置１１０から景品交換所の景品買取機に通知するデータは、図２（ｂ）に示すデータである。
【００７８】
図３は、景品交換所の景品買取機に記憶された残高データを示す図である。
【００７９】
図３には、金種ごとに残りの枚数を示した[残枚数]３０１、残りの金額を示した[残金額]３０２を示されており、例えば、一万円札の[万券]２１３の[残枚数]３０１は「５０枚」であって、[残金額]３０２は「５０万円」であることを示している。その合計金額を[残合計金額]３０３に示してある。
【００８０】
これら図２に示す必要となる金額と金種ごとの枚数に対して、図３で示した残りの金額と枚数とを比べることで不足している金額、枚数を算出した図を以下の図４に示す。
【００８１】
図４は、景品交換所で必要なる金額に対して過不足金額、過不足枚数の算出を行ったデータの一覧を示す図である。
【００８２】
図４には、図２（ａ）に示した合計人数を[残人数]４０１に示し、図２（ｂ）に示した[総必要金額]２２２を[総必要金額]４０２に示す。また、図３に示した景品買取機に残っている[残合計金額]３０３を[買取機残高]４０３に示し、[総必要金額]４０２の値から[買取機残高]４０３の値を差し引いた額が[不足金額]４０４に示される。
【００８３】
すなわち、[不足金額]４０４に示された「１９３万６９０５円」が不足していることになり、この金額分を景品交換所の景品買取機に補う必要がある。このとき、金種ごとに補う枚数を[不足枚数]４０６に示し、金種ごとに不足している金額を[不足金額]４０７に示す。
【００８４】
[不足枚数]４０６は、金種ごとに図２（ｂ）に示された[必要枚数]２２０から図３に示された[残枚数]３０１を差し引いた値が示される。
【００８５】
例えば、一万円札は、必要枚数が「２１４枚」であるのに対して残りの枚数が「５０枚」であることから「１６４枚」不足していると算出でき、[不足枚数]４０６に「１６４」が入力される。
【００８６】
金種ごとにそれぞれ計算すると、五千券には「４８枚」、二千券には「０枚」、千券には「３０枚」、５００硬貨には「４８枚」、１００硬貨には「３０枚」が不足していることが示される。
【００８７】
[不足金額]４０７は、金種ごとに不足している枚数の合計金額である。
【００８８】
なお、一万円札の不足枚数は上記に示すように必要枚数から残りの枚数を差し引くことで求めるのではなく、全体の不足金額の合計（１９３万６９０５円）を五千円紙幣から１００円硬貨までの不足金額の合計から差し引いた金額を満たす一万円紙幣の枚数を算出するような構成にしてもよい。
【００８９】
すなわち、五千円紙幣から１００円硬貨までの不足金額の合計が「２９万７０００円」であるから全体の不足金額の合計「１９３万６９０５円」から差し引くと「１６３万９９０５円」となり、これを満たす一万円札は「１６４枚」であると算出してもよい。
【００９０】
次に、本願発明の景品交換システムにおけるシーケンスを説明する。
【００９１】
図５は、本願発明における処理の流れを示す処理シーケンスである。
【００９２】
図５では、遊技施設ネットワーク１００に設けられたホール内データ管理装置１０６、外部センター１１０に設けられた集中管理装置１１１、景品交換所１２０に設けられた景品買取機１２１におけるシーケンスを示しており、ホール内データ管理装置１０６から集中管理装置１１１に対して、一定の時間を経た後にホール内データ管理装置１０６で管理しているデータの通知が行われる（６０１）。
【００９３】
このとき通知されるデータは、パチンコ台またはスロットマシンで貸出しが行われたパチンコ玉またはメダルの数とその数の買い取りに必要な金額を示した持ち玉（メダル）データ、獲得したパチンコ玉またはメダルを計数機１０４で計数した状態にあるパチンコ玉またはメダルの数とその数の買い取りに必要な金額を示した未処理レシートデータ、景品管理装置１０５により獲得したパチンコ玉またはメダルを特殊景品に交換した金額を示した処理完レシートデータの３つのデータである。これらのデータは図２（ａ）、図２（ｂ）に示すデータの一覧に示された値である。
【００９４】
ホール内データ管理装置１０６からデータを受け取った集中管理装置１１１は、景品交換所１２０の景品買取機１２１に残っている金額の情報を要求する（６０２）。要求を受けて景品買取機１２１は、金種ごとの残額と残りの枚数とを集中管理装置１１１に対して通知する（６０３）。
【００９５】
集中管理装置１１１は必要とする金額と景品買取機１２１に残っている金額の差額を算出し、金種ごとの不足金額、不足枚数を算出する処理を行う（６０４）。
【００９６】
算出した金種ごとの不足金額、不足枚数をホール内データ管理装置１０６と景品買取機１２１に対して通知する（６０５）。
【００９７】
これによって、ホール内データ管理装置１０６が景品買取機１２１で管理された現金の不足金額を把握することができ、景品交換所１２０でも必要となる金額を把握することができる。
【００９８】
なお、上記処理のホール内データ管理装置１０６から集中管理装置１１１へ一定時間経た後にデータを通知するような構成にしているが、データの更新があるたびに通知するような構成にしてもよいし、集中管理装置１１１がデータを必要とした際に集中管理装置１１１からポーリングすることで、ホール内データ管理装置１０６から各データを取得するような構成にしてもよい。
【００９９】
以上の処理によって、本発明の景品交換システムでは、遊技客に貸し出したパチンコ玉またはメダルの数に応じた買い取り時の必要金額、景品管理装置で処理する前後の状態における買い取り時に必要となる金額を算出することができる。
【０１００】
さらに、買い取り時に必要となる金額を金種ごとに算出することができる。
【０１０１】
これによって、景品交換所で特殊景品を交換するのに必要な金額を過不足なく用意することができる。
【０１０２】
従って、本発明を適用することにより、効率のよい資金運用を行うことができるという効果を期待できる。
【０１０３】
本発明は、上記し、且つ図面に示す実施例に限定することなく、その要旨を変更しない範囲内で適宜変形して実施できるものである。
【０１０４】
例えば、上記実施例では、１つの景品交換所に対して１つの遊技施設（ホール）を示しているが、図６のように複数の遊技施設が設けられ、各遊技施設のホール内データ管理装置（６００−１、６００−２、・・・、６００−Ｎ）から通知された各データを基に不足した金額、枚数を算出するような構成にすることが可能である。
【０１０５】
このとき、集中管理装置では各ホール内データ管理装置からのデータを合算し、景品買取機に残っている金額と比較することで不足した金額を算出するような構成にしてもよい。
【０１０６】
上記実施例では、算出された不足金額情報を「ホール内データ管理装置」や「景品管理装置」へ通知したが自機（集中管理装置）の表示に表示したり、プリンタによって帳票を印刷したり現金の管理者がもつ携帯電話に通知する構成とすることも可能である。
【産業上の利用可能性】
【０１０７】
本発明は、遊技施設で遊技客が受け取った特殊景品を遊技客から買い取るための現金を準備する現金準備支援装置およびシステムおよび方法に適用可能であり、特に、該特殊景品を現金で買い取る景品交換所が必要とする金額を各金種の枚数とともに算出するのに有用である。
【図面の簡単な説明】
【０１０８】
【図１】この発明に係わる現金準備支援装置およびシステムおよび方法を適用して構成したシステム構成図。
【図２】本願発明における現金準備支援システムの遊技施設内で管理されるデータの一覧を示した図。
【図３】景品交換所の景品買取機に記憶された残高データを示す図。
【図４】景品交換所で必要なる金額に対して過不足金額、過不足枚数の算出を行ったデータの一覧を示す図。
【図５】本願発明における処理の流れを示す処理シーケンス。
【図６】この発明に係わる現金準備支援装置およびシステムおよび方法を適用して構成した他の例のシステム構成図。
【図７】従来技術におけるシステム構成図。
【符号の説明】
【０１０９】
１１        営業分析コンピュータ
１２        売上データ管理コンピュータ
１００      遊技施設ネットワーク
１０１      パチンコ台
１０２      貸出処理機
１０３      島コントローラ
１０４      計数機
１０５      景品管理装置
１０６      ホール内データ管理装置
１０７      会員データ管理装置
１０８      景品払出機
１１０      外部センター
１１１      集中管理装置
１２０      景品交換所
１２１      景品買取機
【図１】
2007082721.tif 000003
【図２】
2007082721.tif 000004
【図３】
2007082721.tif 000005
【図４】
2007082721.tif 000006
【図５】
2007082721.tif 000007
【図６】
2007082721.tif 000008
【図７】
2007082721.tif 000009